(57)【要約】【課題】ファインダを覗いた状態での操作性を向上させる。【解決手段】  撮影機器は、被写体を撮像する撮像部と、上記撮像部で撮像して得た撮像画像に基づく表示を行う接眼式の第１の表示部と、上記第１の表示部に操作表示を表示させる表示制御部と、操作を受け付けるタッチパネルと、接眼時において、上記タッチパネルの接触位置に応じた上記操作表示の部分を強調表示し、非接触によって上記部分を確定して上記部分に対応する処理を実行する制御部とを具備する。【選択図】図１
2014038195.tif 000002
【特許請求の範囲】
【請求項１】
被写体を撮像する撮像部と、
上記撮像部で撮像して得た撮像画像に基づく表示を行う接眼式の第１の表示部と、
上記第１の表示部に操作表示を表示させる表示制御部と、
操作を受け付けるタッチパネルと、
接眼時において、上記タッチパネルの接触位置に応じた上記操作表示の部分を強調表示し、非接触によって上記部分を確定して上記部分に対応する処理を実行する制御部と
を具備したことを特徴する撮影機器。
【請求項２】
上記タッチパネルが配置され、上記撮像画像及び上記操作表示を表示可能な第２の表示部
を具備したことを特徴する請求項１に記載の撮影機器。
【請求項３】
上記制御部は、
上記タッチパネルに対するスライド操作を検出し、上記操作表示がパラメータ変更のための表示である場合において、検出したスライド操作の方向に応じてパラメータ変更を行うと共に、パラメータ変更のための方向以外の方向へのスライド操作によって処理を終了する
ことを特徴する請求項１又は２に記載の撮影機器。
【請求項４】
上記表示制御部は、
上記タッチパネルに対するピンチ操作によって、上記操作表示に含まれる項目数を増減させる
ことを特徴する請求項１乃至３のいずれか１つに記載の撮影機器。
【請求項５】
上記表示制御部は、
上記操作表示に含まれる項目を切換て表示する
ことを特徴する請求項１乃至３のいずれか１つに記載の撮影機器。
【発明の詳細な説明】
【技術分野】
【０００１】
本発明は、タッチパネルを備えた撮影機器に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。また、表示部にメニュー画面を表示して、撮影機器の操作を容易にしたものもある。更に、表示部にタッチパネルを配置して、タッチパネルに対するタッチ操作によって撮影機器の操作が可能なものもある。
【０００３】
このような表示部は、携帯機器本体の背面に設けられることが多く、ユーザは撮影時に、背面の表示部に表示されたスルー画を確認しながら撮影操作をすることも可能である。また、例えば撮影機器本体の上面にファインダ（接眼部）が設けられることもある。一眼デジタルカメラ、デジタルビデオカメラなどにおいては、画像の構図や撮影のタイミングを確認するためにファインダ（接眼部）が設けられており、ファインダを覗きながら撮影するユーザも少なくない。
【０００４】
特に周りが明るく、背面の表示部の視認性が悪化している場合には、ファインダを覗いて撮影が行われる。また、一眼デジタルカメラにおいて、大きなレンズを装着するときも、ファインダを覗きながら撮影される。
【０００５】
しかしながら、ファインダを覗いた場合には、背面の表示部を目視することができず、背面の表示部に表示されたアイコン等をダイレクトにタッチする操作は困難である。このため、ファインダを覗きながら撮影を行う場合でも、モード切換えや設定値の変更操作等のために表示部のタッチパネル操作が必要なときには、操作のためにファインダから目を離す必要があり、シャッターチャンスを逃す虞がある。
【０００６】
そこで、特許文献１においては、フレームに凹凸の目印を付けることで、ファインダを覗きながら表示部のタッチ操作を容易にした装置が提案されている。
【先行技術文献】
【特許文献】
【０００７】
特開２０１０−１３４０７７号公報
【発明の概要】
【発明が解決しようとする課題】
【０００８】
しかしながら、特許文献１の発明においては、ユーザは予め操作すべき位置を記憶しておく必要がある。また指の触覚に頼りながら操作を行う必要があり、誤操作が生じやすい。また、特許文献１の発明においては、タッチ操作の位置をフレームの凹凸に合わせて決定する必要があり、タッチ操作位置の仕様に制約が生じるという問題があった。
【０００９】
本発明は、ファインダを覗いた状態での操作性を向上させることができる撮影機器を提供することを目的とする。
【課題を解決するための手段】
【００１０】
本発明に係る撮影機器は、被写体を撮像する撮像部と、上記撮像部で撮像して得た撮像画像に基づく表示を行う接眼式の第１の表示部と、上記第１の表示部に操作表示を表示させる表示制御部と、操作を受け付けるタッチパネルと、接眼時において、上記タッチパネルの接触位置に応じた上記操作表示の部分を強調表示し、非接触によって上記部分を確定して上記部分に対応する処理を実行する制御部とを具備する。
【発明の効果】
【００１１】
本発明によれば、ファインダを覗いた状態での操作性を向上させることができるという効果を有する。
【図面の簡単な説明】
【００１２】
【図１】本発明の第１の実施の形態に係る撮影機器の回路構成を示すブロック図。
【図２】撮影時における撮影機器１の外観を示す説明図。
【図３】撮影時における撮影機器１の構え方を示す説明図。
【図４】モード設定時の画面表示を説明するための説明図。
【図５】パラメータの設定操作を説明するための説明図。
【図６】第１の実施の形態の動作を説明するためのフローチャート。
【図７】本発明の第２の実施の形態を示す説明図。
【図８】第２の実施の形態におけるタッチ判定を示すフローチャート。
【図９】変形例を示す説明図。
【発明を実施するための形態】
【００１３】
以下、図面を参照して本発明の実施の形態について詳細に説明する。
【００１４】
（第１の実施の形態）
図１は本発明の第１の実施の形態に係る撮影機器の回路構成を示すブロック図である。本実施の形態における撮影機器１は、本体部１０及び交換レンズ２０によって構成されている。本体部１０は、撮影機器１の主要な回路部分が収納された筐体であり、前面に交換レンズ２０が着脱自在に取り付けられている。
【００１５】
交換レンズ２０は、本体部１０の撮像部１２に被写体像を導くレンズ部２１を有している。レンズ部２１は、ズームやフォーカシングのためのレンズ等を備えており、これらのレンズを駆動制御するための操作部２２を備えている。ズームリングやピントリング等によって構成される操作部２２の操作によって、ピントのみならず、ズーム位置や絞りの調整も可能である。
【００１６】
操作部２２は、ユーザ操作に基づく操作信号を制御部２３に出力する。制御部２３は、マイコン等によって構成されており、操作部２２からの操作信号に基づいて、回転操作及びシフト操作に基づくフォーカス信号及びズーム信号を発生して、駆動部２４を制御する。
【００１７】
モーター等によって構成された駆動部２４は、レンズ部２１に設けられたピント合わせに関連するピントレンズ及びズーミングに関連するズームレンズを駆動し、ピント制御及びズーム制御を行う。レンズ部２１にはピント制御部２１ａ、ズーム制御部２１ｂ及び絞り制御部２１ｃが設けられている。ピント制御部２１ａはピントレンズの位置に対応した信号をピント位置判定部２５ａに出力する。また、ズーム制御部２１ｂはズームレンズの位置（ズーム位置）に対応した信号をズーム位置判定部２５ｂに出力する。絞り制御部２１ｃは、レンズ内の軸状光束を制限するための絞り制御部である。
【００１８】
ピント位置判定部２５ａは、ピント制御部２１ａの出力に基づいてピント位置を判定して判定結果を制御部２３に出力する。ズーム位置判定部２５ｂは、ズーム制御部２１ｂの出力に基づいてズーム位置を判定して判定結果を制御部２３に出力する。制御部２３は、ピント位置及びズーム位置の判定結果が与えられ、操作部２２の操作に対応したピント位置及びズーム位置となるように、駆動部２４を制御する。
【００１９】
交換レンズ２０には、通信部２８が設けられている。また、本体部１０には通信部１３が設けられている。通信部２８は、所定の伝送路を介して本体部１０の通信部１３との間で情報の送受を行う。制御部２３は、本体部１０の通信部１３との間の通信が確立すると、記録部２６に格納したレンズ情報及びズーム操作に関するズーム情報等を通信部２８，１３によって本体部１０に送信させることができる。
【００２０】
レンズ情報により、本体部１０は、交換レンズ２０がどのようなズーム機能を有しているか、ズームレンズの焦点距離範囲（倍率）、焦点距離、明るさナンバー等を認識することができる。また、本体部１０には、操作部２２からの回転操作の情報も与えられるようになっている。制御部２３は、通信部１３，２８介して本体部１０の信号処理及び制御部１１から制御信号が供給されて、信号処理及び制御部１１によって制御可能に構成されている。
【００２１】
なお、本実施の形態においては、種々の交換レンズを採用することができ、更に、交換レンズだけでなく、交換不能なレンズを採用してもよい。
【００２２】
撮影機器１を構成する本体部１０は、ＣＣＤやＣＭＯＳセンサ等の撮像素子によって構成された撮像部１２を有している。撮像部１２は、本体部１０の前面に設けられた交換レンズ２０からの被写体像を光電変換して撮影画像を得る。撮像部１２は、信号処理及び制御部１１によって駆動制御されて、撮影画像を出力する。
【００２３】
信号処理及び制御部１１は、ＣＰＵ等によって構成されて撮影機器１の各部を制御する。信号処理及び制御部１１は、撮像部１２に撮像素子の駆動信号を出力すると共に、撮像部１２からの撮影画像を読み出す。信号処理及び制御部１１は、読み出した撮影画像に対して、所定の信号処理、例えば、色調整処理、マトリックス変換処理、ノイズ除去処理、その他各種の信号処理を行う。
【００２４】
本体部１０には、時計部１４及び操作判定部１５も配設されている。時計部１４は信号処理及び制御部１１が用いる時間情報を発生する。操作判定部１５は、本体部１０に設けられた図示しないレリーズボタン、ファンクションボタン、撮影モード設定等の各種スイッチ等を含む操作部に対するユーザ操作に基づく操作信号を発生して、信号処理及び制御部１１に出力するようになっている。信号処理及び制御部１１は、操作信号に基づいて、各部を制御する。
【００２５】
信号処理及び制御部１１は、信号処理後の撮影画像を圧縮処理し、圧縮後の画像を記録部１６に与えて記録させることができる。記録部１６としては、例えばカードインターフェースを採用することができ、記録部１６はメモリカード等の記録媒体に画像情報及び音声情報等を記録可能である。
【００２６】
また、本体部１０には接眼部３０が取り付けられている。接眼部３０には接眼表示部３１及び通信部３２が設けられており、通信部３２は本体部１０の通信部１８との間でデータの送受が可能であり、本体部１０から通信部１８を介して与えられた撮像画像を接眼表示部３１に供給することができる。
【００２７】
信号処理及び制御部１１の表示制御部１１ａは表示に関する各種処理を実行する。表示制御部１１ａは、信号処理後の撮影画像を表示部３５及び接眼部３０の接眼表示部３１に与えることができる。表示部３５及び接眼表示部３１は、夫々ＬＣＤ等の表示画面を有しており、表示制御部１１ａから与えられた画像を表示する。また、表示制御部１１ａは、各種メニュー表示等をこれらの表示画面に表示させることもできるようになっている。
【００２８】
表示部３５は、後述するように、撮像画像を表示する表示画面３５ａを有している。また、表示画面３５ａ上には、タッチパネル３６が設けられている。タッチパネル３６は、ユーザが指で指し示した表示画面３５ａ上の位置に応じた操作信号を発生することができる。この操作信号は、信号処理及び制御部１１に供給される。これにより、信号処理及び制御部１１は、ユーザが表示画面３５ａ上をタッチしたりスライドさせたりした場合には、ユーザのタッチ位置、指を離間させる操作、スライド操作やスライド操作によって到達した位置、スライド方向、タッチしている期間等の各種操作を検出することができ、ユーザ操作に対応した処理を実行することができるようになっている。
【００２９】
また、本体部１０には、ユーザが目を接眼表示部３１に近接させたことを検出するアイセンサ１７が設けられている。アイセンサ１７の検出結果によって、信号処理及び制御部１１は、ユーザが目を接眼表示部３１に近接させたか否かを判定することができるようになっている。
【００３０】
なお、表示部３５は、本体部１０の例えば背面の略全域を占めるように配設されており（図２（ｂ）参照）、撮影者は、撮影時に表示部（以下、背面表示部ともいう）３５の表示画面３５ａ上に表示されたスルー画を確認することができ、スルー画を確認しながら撮影操作を行うことができる。
【００３１】
信号処理及び制御部１１は、スルー画を接眼表示部３１に表示させてもよく、背面表示部３５に表示させてもよい。これにより、ユーザは、接眼表示部３１を覗きスルー画を確認しながら撮影を行うこともでき、背面表示部３５に表示されたスルー画を確認しながら撮影を行うこともできる。
【００３２】
本実施の形態においては、ユーザが接眼表示部３１を覗きながら撮影を行う場合には、背面表示部３５に対するユーザ操作の状況を接眼表示部３１に表示する接眼撮影モードを設定することができるようになっている。
【００３３】
このような接眼撮影モードを可能にするために、信号処理及び制御部１１は、表示制御部１１ａ、接眼判定部１１ｂ、モード設定部１１ｃ、タッチ位置判定部１１ｄ及び操作判定部１１ｅを有する。
接眼判定部１１ｂは、アイセンサ１７の出力によって、ユーザが接眼しているか否かを判定する。モード設定部１１ｃは、ユーザが接眼している場合には、接眼撮影モードを設定する。接眼撮影モード時には、表示制御部１１ａは、スルー画を接眼表示部３１に表示させると共に、接眼表示部３１に各種設定のための操作表示を表示させるようになっている。例えば、表示制御部１１ａは、操作表示として各操作に対応した複数の操作アイコンを用いたメニュー表示を表示することができる。
【００３４】
本実施の形態においては、接眼表示モード時には、信号処理及び制御部１１は、操作接眼表示部３１の表示と同様の表示を背面表示部３５に表示した場合と同様にタッチパネル３６の操作を受け付ける。例えば、信号処理及び制御部１１は、背面表示部３５に設けたタッチパネル３６に対しタッチ操作があった場合には、背面表示部３５のタッチ位置に対応する接眼表示部３１の位置の操作表示がタッチ操作されたものとして制御を行う。
【００３５】
タッチ位置判定部１１ｄは、ユーザが背面表示部３５をタッチしている位置を検出する。操作判定部１１ｅは、ユーザの背面表示部３５に対する指の接触、離間、スライド操作等に基づいて、ユーザの操作を検出する。例えば、操作判定部１１ｅは、ユーザが背面表示部３５の同一位置を所定時間継続して接触する操作によって、ユーザが背面表示部３５の特定の位置に対応する接眼表示部３１上の操作表示を選択する操作であるものと判定する。この操作の後、ユーザが指を背面表示部３５から離間させると、操作判定部１１ｅは、ユーザが選択を確定操作したものと判定する。更に、ユーザが指を背面表示部３５上をスライドさせ、同一位置に所定時間継続して停止させることなく指を背面表示部３５から離間させた場合には、ユーザがそれまでの操作を解除する操作を行ったものと判定する。
【００３６】
タッチ位置判定部１１ｄは、操作判定部１１ｅによってユーザが選択操作を行っていることが示された場合には、ユーザのタッチ位置の検出結果を表示制御部１１ａに出力する。この場合には、表示制御部１１ａは、タッチ位置の検出結果に応じて、タッチ位置に対応する位置の操作表示の表示を他の表示と区別可能とする。例えば、タッチ位置に対応する位置の操作表示を強調表示する等、色、濃さ、形状、模様等を他の位置の操作表示等に対して変化させる。
【００３７】
モード設定部１１ｃには、タッチ位置判定部１１ｄ及び操作判定部１１ｅの出力が与えられて、ユーザのタッチ操作に応じてモードを変更する。
【００３８】
図２乃至図６は本実施の形態における接眼撮影モードを説明するための説明図である。図２は撮影時における撮影機器１の外観を示す説明図であり、図２（ａ）は前方側を示し、図２（ｂ）は背面側を示している。また、図３は撮影時における撮影機器１の構え方を示す説明図である。
【００３９】
本実施の形態においては、例えば、撮影前の構図や撮影のタイミングの確認時には接眼表示部３１を利用すると共に、背面表示部３５に設けたタッチパネル３６をブラインドタッチで操作することで、モード切換え等を行うようになっている。
【００４０】
図２（ａ）及び図３（ａ）に示すように、通常、撮影者４１はその左手４１Ｌで交換レンズ２０を支え、本体部１０上面のレリーズスイッチ５１に人差し指４２ａを軽く触れながら本体部１０を右手４１Ｒで軽く把持して、撮影のために構えている。この構えた態勢において背面からみると、図２（ｂ）に示すように、スルー画（ライブビュー画像）５２が本体部１０の背面表示部３５の表示画面３５ａ上に表示され、撮影者の右手４１Ｒは、その人差し指４２ａが本体部１０上面のレリーズスイッチ５１上に位置するとともに、その親指４２ｂは背面表示部３５の（撮影者から見て）右側の領域に位置している。そのため、撮影者はその右手の親指４２ｂによって背面表示部３５上のタッチパネル３６の右側の領域にごく自然にタッチでき、タッチ、スライド等のタッチ操作によりモード切換え等の各種操作が可能となる。
【００４１】
図３（ｂ）に示すように、背面表示部３５に表示されたスルー画を確認しながら撮影操作を行うことも可能である。この場合には、例えば右手４１Ｒの人差し指４２ａによって、表示画面３５ａを視認しながら、タッチパネル３６の操作が可能である。
【００４２】
一方、図３（ａ）に示すように、ファインダ画像の構図や撮影のタイミングを確認するために接眼表示部３１を覗いている状態では、背面表示部３５の表示画面３５ａを視認することはできない。しかし、上述したように、この場合でも、右手４１Ｒの親指４２ｂは、タッチパネル３６をブラインドタッチすることが可能である。
【００４３】
そこで、本実施の形態においては、タッチパネル３６のブラインドタッチによっても操作を確実に行うために、接眼表示部３１の表示画面３１ａ上に、操作表示を表示すると共に、タッチパネル３６のタッチ操作の状況も表示するようになっている。
【００４４】
図４はモード設定時の画面表示を説明するための説明図である。
【００４５】
接眼判定部１１ｂの判定結果によってユーザが接眼していないことが示された場合には、例えば、図４（ａ）に示す操作表示が表示される。ユーザが接眼していない場合には、表示制御部１１ａは、背面表示部３５の表示画面３５ａ上にスルー画５２を表示させる。また、表示制御部１１ａは、表示画面３５ａ上に操作表示６１を表示する。図４の例では操作表示６１は３つの操作アイコン６１ａ〜６１ｃを有し、各操作アイコン６１ａ〜６１ｃは、夫々プログラムモード（Ｐ）、ストロボモード（Ｓｔ）及び露出調整（±）を設定するためのものである。
【００４６】
ユーザが例えば右手４１Ｒの人差し指４２ａによって、表示画面３５ａ上の操作アイコン６１ａ〜６１ｃのいずれかをタッチすることによって、タッチされたアイコンに対応するモードが設定される。例えば、操作アイコン６１ａをタッチすることで、プログラムモード、シャッター優先モード、絞り優先モードを選択するためのサブメニューを表示させることができる。
【００４７】
また、例えば、操作アイコン６１ｂをタッチすることで、ストロボ発光のオン，オフ，自動設定を選択するためのサブメニューを表示させることができる。また、例えば、操作アイコン６１ｃをタッチすることで、露出設定モードを設定することができる。
【００４８】
一方、接眼判定部１１ｂの判定結果によってユーザが接眼していることが示された場合には、図４（ｂ）に示す操作表示が表示される。ユーザが接眼している場合には、表示制御部１１ａは、接眼表示部３１の表示画面３１ａ上にスルー画５２を表示させる。また、表示制御部１１ａは、表示画面３１ａ上に操作表示６１を表示する。
【００４９】
本実施の形態においては、背面表示部３５上のタッチパネル３６に対して操作を行うことで、接眼表示部３１の表示画面３１ａ上に表示された操作表示６１の各操作アイコン６１ａ〜６１ｃに対する操作を可能にする。
【００５０】
ユーザが右手４１Ｒの親指４２ｂでタッチパネル３６をタッチすると、タッチ位置判定部１１ｄは、ユーザが背面表示部３５をタッチしている位置を検出する。操作判定部１１ｅが、ユーザのタッチ操作が操作アイコンの選択操作であるものと判定すると、表示制御部１１ａは、ユーザのタッチ位置に対応する位置の接眼表示部３１上に配置された操作アイコンが選択されたものとして、当該操作アイコンを他のアイコンとは異なる表示にする。例えば、図４（ｂ）に示すように、ユーザが表示画面３５ａの上、下、中央のうち下の領域にタッチした場合には、表示制御部１１ａは、表示画面３１ａの下に配置された操作アイコン６１ｃが選択されたものとして、操作アイコン６１ｃを太枠表示する。
【００５１】
更に、例えば、ユーザが指をタッチパネル３６から離間させることなくスライドさせることにより、ユーザは他の操作アイコンを選択することができる。例えば、ユーザが親指４２ｂを中央の位置にスライドさせると、表示制御部１１ａは、表示画面３１ａの中央に配置された操作アイコン６１ｂが選択されたものとして太枠表示する。
【００５２】
操作判定部１１ｅは、図４（ｃ）に示すように、ユーザが親指４２ｂをタッチパネル３６から離間させる操作を行うことによって、選択されている操作の確定操作が行われたものと判定する。例えば、図４（ｂ）の状態で親指４２ｂがタッチパネル３６から離間すると、モード設定部１１ｃは、露出設定モードへの移行の確定操作が行われたものと判定して露出設定モードを設定する。
【００５３】
なお、ユーザが図４（ｃ）に示すように、親指４２ｂをスライドさせてタッチパネル６３上から離間させた場合には、操作判定部１１ｅは、選択操作の解除が行われたものと判定する。
【００５４】
このように、本実施の形態においては、ユーザが接眼した場合には、操作アイコンへのタッチ操作によってモードが確定するのに対し、ユーザが接眼していない場合には、タッチ、離間、スライド等の操作を検出することでモードを確定すると共に、操作の状況を接眼表示部３１に表示することで、プラインドタッチでも確実な操作を可能にする。
【００５５】
なお、図４では、接眼撮影モード時においても、背面表示部３５の表示画面３５ａ上に操作表示を表示する例を示しているが、表示画面３５ａ上には操作表示を表示しなくてもよいことは明らかである。
【００５６】
更に、本実施の形態においては、背面表示部３５へのブラインドタッチによって、モード選択操作だけでなく、パラメータの設定操作も可能である。図５はパラメータの設定操作を説明するための説明図である。
【００５７】
いま、ユーザが図４の操作アイコン６１ｃの選択を確定するものとする。これにより、モード設定部１１ｃは、露出設定モードを設定する。露出設定モードにおいては、表示制御部１１ａは、表示画面３１ａ上にスルー画５２を表示すると共に、表示画面３１ａの右側に操作表示としてサブメニューであるパラメータ設定表示７１を表示する。パラメータ設定表示７１は、レベルバー表示７１ａ、操作バー表示７１ｂ及び操作方向表示７１ｃによって構成される。また、表示制御部１１ａは、表示画面３１ａの左上端に露出設定モードであることを示す「露出補正」という表示７２を表示する。また、表示制御部１１ａは、現在の露出値を示す表示７３を表示する。
【００５８】
なお、スルー画５２及びこれらの表示７１〜７３は、ユーザが接眼していない場合には背面表示部３５の表示画面３５ａ上に表示され、ユーザが接眼している場合に接眼表示部３１の表示画面３１ａ上に表示される。仮に、ユーザが接眼していない場合には、ユーザは、背面表示部３５の表示画面３５ａ上に表示された操作バー表示７１ｂ上をタッチし、上下にスライドさせることで、露出値を変更させることができる。例えば、操作バー表示７１ｂを上方向にスライドさせることで露出値をプラス側に変更させることができ、操作バー表示７１ｂを下方向にスライドさせることで露出値をマイナス側に変更させることができる。
【００５９】
ユーザが接眼している場合には、ユーザは、背面表示部３５のパラメータ設定表示７１を視認することができない。そこで、本実施の形態においては、タッチ位置判定部１１ｄ及び操作判定部１１ｅは、ユーザの親指４２ｂの絶対的な位置ではなくスライド方向及びスライド量によって、露出値の変更方向及び変更量を判定する。
【００６０】
なお、撮影に集中するとユーザは接眼表示部３１にできるだけ近づいて覗き込むことがあり、ユーザの鼻が背面表示部３５の表示画面３５ａに接触する虞がある。そこで、図５（ａ）に示す表示画面３５ａの中央の領域６５を不感帯（タッチの無効領域）としてもよい。
【００６１】
接眼時には、ユーザは、右手４１Ｒの親指４２ｂを、表示画面３５ａの右側で矢印６６にて示す上下方向にスライドさせることで、露出値を設定を変更する。いま、ユーザが親指４２ｂを上方向にスライドさせるものとする。この場合には、タッチ位置判定部１１ｄ及び操作判定部１１ｅによって、上方向へのスライド及びスライド量を検出することができる。表示制御部１１ａは、図５（ｂ）に示すように、スライド方向が上方向であることを示す操作方向表示７１ｃを表示すると共に、スライド量に応じて操作バー表示７１ｂを上方向にスライドさせる。更に、表示制御部１１ａは、表示７３をスライド量、即ち、露出値の変更量に応じて変化させる。
【００６２】
なお、信号処理及び制御部１１は、ユーザのスライド操作に応じて、露出値が変化するように、各部を制御する。こうして、ユーザが親指４２ｂを上方向にスライドさせることによって、露出値をプラス側に補正することができ、図５（ｂ）に示すように、露出値が大きくなったスルー画５２が得られる。
【００６３】
逆に、ユーザが親指４２ｂを下方向にスライドさせるものとする。この場合には、タッチ位置判定部１１ｄ及び操作判定部１１ｅによって、下方向へのスライド及びスライド量を検出することができる。表示制御部１１ａは、図５（ｃ）に示すように、スライド方向が下方向であることを示す操作方向表示７１ｃを表示すると共に、スライド量に応じて操作バー表示７１ｂを下方向にスライドさせる。更に、表示制御部１１ａは、表示７３をスライド量、即ち、露出値の変更量に応じて変化させる。
【００６４】
信号処理及び制御部１１は、ユーザのスライド操作に応じて、露出値が変化するように、各部を制御する。こうして、ユーザが親指４２ｂを下方向にスライドさせることによって、露出値をマイナス側に補正することができ、図５（ｃ）に示すように、露出値が小さくなったスルー画５２が得られる。
【００６５】
ユーザが指をスライドさせない場合又は指をタッチパネル３６から離間させた場合には、露出値の変更量は保持される。再度ユーザがタッチパネル３６に触れてスライドを再開すると、そのスライド方向及びスライド量に応じて、前回の露出値から露出値が変更される。即ち、ユーザが指を離間させながら繰り返しスライド操作することで、指を最初にタッチした位置に拘わらず、露出の変更操作を自由に行うことができる。
【００６６】
ユーザが指を水平方向にスライドさせると、操作判定部１１ｅは、ユーザのパラメータ設定操作が終了したものと判定し、モード設定部１１ｃは、図５（ｄ）に示すように、元の操作表示６１に戻す。
【００６７】
次に、このように構成された実施の形態の動作について図６のフローチャートを参照して説明する。図６は撮影制御を説明するためのフローチャートである。
【００６８】
撮影機器１の電源が投入されると、信号処理及び制御部１１は、図６のステップＳ１において、スルー画の表示を開始する。即ち、信号処理及び制御部１１は、撮像部１２からの撮像画像を取り込んで、撮像画像に対し所定の映像信号処理を施す。信号処理及び制御部１１の接眼判定部１１ｂは、アイセンサ１７の出力に基づいて、ユーザが目を接眼表示部３１に近接させたか否かを判定する（ステップＳ２）。表示制御部１１ａは、接眼判定の判定結果に基づいて、スルー画を背面表示部３５に表示させるか接眼表示部３１に表示させるかを決定する。
【００６９】
ユーザが目を接眼表示部３１に近接させていない場合には、表示制御部１１ａは、信号処理した撮像画像を背面表示部３５に与えてスルー画を表示する。また、表示制御部１１ａは、背面表示部３５に、例えば図４に示すモード切換等のメニュー表示を表示させる。
【００７０】
背面表示部３５に表示されたメニュー表示に対しては、ユーザがタッチパネル３６のメニュー部分を直接タッチすることで、メニューの項目を選択してモードを変更することができる（ステップＳ４，Ｓ５）。
【００７１】
一方、ユーザが目を接眼表示部３１に接眼している場合には、表示制御部１１ａは、信号処理した撮像画像を接眼表示部３１に与えてスルー画を表示する。また、表示制御部１１ａは、接眼表示部３１に、例えば図４に示すモード切換等のメニュー表示を表示させる（ステップＳ１０）。
【００７２】
この場合には、例えば図３（ａ）に示すように、ユーザは撮影のために目を接眼表示部３１に近接させており、背面表示部３５の表示を確認することは困難である。しかし、右手４１Ｒの親指４２ｂは背面表示部３５の表示画面３５ａの右側の領域を容易にタッチ操作することができるので、接眼表示部３１の表示画面３１ａ上に表示させたメニュー表示に対する操作を背面表示部３５に設けたタッチパネル３６で行う。また、確実な操作を可能とするために、ユーザのタッチ等の操作に応じて、操作の状況を接眼表示部３１の表示画面３１ａ上に表示する。
【００７３】
操作判定部１１ｅは、ステップＳ１２において、ユーザがタッチ操作を行ったか否かを判定する。タッチ操作が行われた場合には、タッチ位置判定部１１ｄが検出したタッチ位置に応じて、表示制御部１１ａは対応する位置の操作アイコンが選択されていることを示す例えば強調表示を行う（ステップＳ１２）。
【００７４】
操作判定部１１ｅは、ステップＳ１３において、縦スライド操作が行われたか否かを判定し、ステップＳ１５において横スライド操作が行われたか否かを判定する。操作判定部１１ｅが縦スライド操作を検出した場合には、表示制御部１１ａは、タッチ位置判定部１１ｄが検出したタッチ位置に応じて、選択位置を変更して対応する操作アイコンを強調表示する。また、操作判定部１１ｅが横スライド操作を検出した場合には、信号処理及び制御部１１は、選択操作が解除されたものと判定する。
【００７５】
操作判定部１１ｅは、ステップＳ１６において、指をタッチパネル３６から離間させる操作を判定する。モード設定部１１ｃは、離間操作を選択操作の確定操作であるものと判定し、タッチ位置判定部１１ｄが検出した離間前のタッチ位置に対応する操作アイコンに割当てられたモードを設定する（ステップＳ１７）。
【００７６】
例えば露出設定モードのように、モード選択後にパラメータ設定が必要な場合には（ステップＳ１８）、モード設定ためのメニュー表示の次にパラメータ設定表示をサブメニューとして表示させる（ステップＳ１９）。例えば図５に示すパラメータ設定表示等のサブメニューが表示されると、操作判定部１１ｅは、ステップＳ２０において縦スライド操作が行われたか否かを判定し、ステップＳ２２において横スライド操作が行われたか否かを判定する。
【００７７】
操作判定部１１ｅが縦スライド操作を検出した場合には、表示制御部１１ａは、タッチ位置判定部１１ｄが検出したタッチ位置の変化に応じて、パラメータ変更のための表示位置を変化させる。また、信号処理及び制御部１１は、タッチ位置判定部１１ｄが検出したタッチ位置の変化に応じてパラメータを変更する（ステップＳ２１）。即ち、ユーザが指を上下にスライドさせることにより、パラメータを増減させると共にパラメータ値の表示を変更して、接眼表示部３１の表示画面３１ａ上に表示させることができる。
【００７８】
操作判定部１１ｅが横スライド操作を検出した場合には、表示制御部１１ａは、パラメータ設定操作が終了したものと判定し、接眼表示部３１にメニュー表示を表示させる（ステップＳ２３）。
【００７９】
ステップＳ２４では、信号処理及び制御部１１によって、レリーズ操作の有無が判定され、レリーズ操作が行われると、信号処理及び制御部１１は、オートフォーカス（ＡＦ）及び露出制御（ＡＥ）を行い（ステップＳ２５）、スルー画を停止させた後（ステップＳ２６）、撮影を行う（ステップＳ２７）。信号処理及び制御部１１は、ステップＳ２８においてスルー画表示を再開する。
【００８０】
このように本実施の形態においては、接眼表示部への接眼時には、接眼表示部にメニュー表示等の操作表示を表示させると共に、背面表示部に設けたタッチパネルでの操作を受け付ける。この場合には、タッチパネルの操作に応じて接眼表示部の表示を変化させることで操作の状況を接眼表示部において確認可能とする。また、操作表示の各部の位置に対応する背面表示部の位置に触れることで、操作表示部の各部を選択するようになっており、直感的な選択操作が可能である。また、タッチ操作、スライド操作、離間操作等を組み合わせることで、操作の選択、確定、解除を判定するようになっており、タッチパネル上をブラインドタッチする場合でも、接眼表示部の表示から確実な操作が可能である。
【００８１】
しかも、ユーザが選択のためのタッチを行っても、接眼表示部に表示される操作アイコンは指で隠されることはなく、強調表示等によって確実に選択している操作アイコンを認識することができ、操作性を著しく向上させることができる。
【００８２】
（第２の実施の形態）
図７は本発明の第２の実施の形態を示す説明図である。本実施の形態のハードウェア構成は第１の実施の形態と同様である。
【００８３】
本実施の形態は１点タッチ操作だけでなく、２点タッチ操作に対応したものである。図８は本実施の形態におけるタッチ判定を示すフローチャートであり、図６のステップＳ４，Ｓ１１におけるタッチパネル３６の操作判定に利用可能である。
【００８４】
図８のステップＳ３１においては、操作判定部１１ｅは、１点タッチ操作であるか否かを判定する。１本の指のみでタッチパネル３６を操作する１点タッチ操作が行われた場合には、操作判定部１１ｅは、第１の実施の形態と同様の操作判定を行う。即ち、１点タッチの場合には、タッチ位置に応じて選択操作、確定操作等が行われる。
【００８５】
一方、ユーザが２点タッチ操作を行った場合には、操作判定部１１ｅは、ステップＳ３５においてピンチ操作が行われたか否かを判定する。操作判定部１１ｅは、ユーザが２点タッチして、指をスライドさせることなく離間させた場合には処理を終了する。
【００８６】
ユーザが２点タッチの後、指をスライドさせてタッチ位置を変化させるピンチ操作を行った場合には、操作判定部１１ｅは、ステップＳ３６においてピンチ操作が操作表示の位置で行われたか否かを判定する。操作表示の位置以外の位置でピンチ操作が行われた場合には、操作判定部１１ｅは、ピンチ操作が画面の拡大又は縮小のための操作であるものと判定し、ピンチ操作に応じて画面の拡大又は縮小処理を行う（ステップＳ３７）。
【００８７】
一方、操作表示の位置でピンチ操作が行われた場合には、操作判定部１１ｅは、ピンチ操作が操作表示の項目数の増減操作であるものと判定する。図７はこの操作を示しており、図７（ａ）はユーザが右手４１Ｒの人差し指４２ａと親指４２ｂとで、操作表示６１の位置で２点タッチしたことを示している。図７（ｂ）は、ユーザが人差し指４２ａと親指４２ｂとを矢印方向にスライドさせることでタッチ間隔を狭くするピンチ操作を示している。タッチ間隔を狭くするピンチ操作が行われると、図７（ｂ）の操作表示６１’で示すように、操作表示６１の間隔が狭くなる。
【００８８】
信号処理及び制御部１１は、操作表示の項目（操作アイコン）数を増加させ、表示制御部１１ａは、操作アイコンの数を増やして表示する。図７（ｃ）の例では、操作表示６１は、３つの操作アイコン６１ａ〜６１ｃに操作アイコン６１ｄが加えられて、４つの操作アイコン６１ａ〜６１ｄからなる操作表示６１が表示される。なお、操作アイコン６１ｄは、ＩＳＯ感度を設定するモードを指定するためのものである。
【００８９】
なお、図７では背面表示部３５の表示画面３５ａ上に操作表示６１が表示されている例について説明したが、接眼表示部３１の表示画面３１ａ上に操作表示６１が表示されている場合でも、２点タッチ操作が可能である。この場合でも、ユーザは背面表示部３５に設けられたタッチパネル３６を操作することで、第１の実施の形態と同様に、接眼表示部３１の表示を変更することができ、図８のステップＳ３６，Ｓ３８において、接眼表示部３１の表示画面３１ａに対する画面の拡大縮小処理又は操作表示６１の項目数の増減処理を行うことができる。
【００９０】
このように、本実施の形態においては、第１の実施の形態と同様の効果が得られると共に、２点タッチ操作にも対応することができる。
【００９１】
なお、上記実施の形態においては、操作アイコンのサイズを変更することで、画面に同時に表示可能な個数（図４では３個）を変更する例について説明したが、項目数（操作アイコン数）が多い場合には、タッチパネル上の指をスライドさせて背面表示部の右側の上端又は下端に指を位置させることで、表示されていない項目が順次巡回的に表示されるように、表示制御部１１ａによって制御することも可能である。
【００９２】
図９はこの場合の例を示す説明図である。図９の例では、表示画面３５ａの下端を人差し指４２ａ（接眼時には親指）でタッチすることによって、操作アイコンを矢印の方向にスライドさせている。下端を押し続けることによって操作アイコンを順次スライドさせ、画面に表示されていない操作アイコンを順次画面内に表示させることができる。なお、この場合には、新たに表示されるようになった操作アイコンが選択されているものとして、強調表示等を行ってもよい。この場合でも、指をタッチパネルから離間させた時点で強調表示されている操作アイコンに対応する操作が選択されるようにすることで、ユーザは自分が選択した操作を確実に把握することができる。項目数が極めて多い場合等においても、比較的大きい操作アイコンを表示し、且つ全ての項目を順番に表示させることができ、操作性に優れている。また、操作アイコンが比較的小さい場合でも、自分が選択している操作アイコンを確実に認識することができ、誤操作を著しく低減させることができる。
【００９３】
さらに、本発明の各実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。
【００９４】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００９５】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【符号の説明】
【００９６】
１…撮影機器、１０…本体部、１１…信号処理及び制御部、１１ａ…表示制御部、１１ｂ…接眼判定部、１１ｃ…モード設定部、１１ｄ…タッチ位置判定部、１１ｅ…操作判定部、１２…撮像部、１４…時計部、１５…操作判定部、１６…記録部、１７…アイセンサ、２０…交換レンズ、３１…接眼表示部、３５…表示部、３６…タッチパネル。
【図１】
2014038195.tif 000003
【図２】
2014038195.tif 000004
【図３】
2014038195.tif 000005
【図４】
2014038195.tif 000006
【図５】
2014038195.tif 000007
【図６】
2014038195.tif 000008
【図７】
2014038195.tif 000009
【図８】
2014038195.tif 000010
【図９】
2014038195.tif 000011